(57)【要約】【課題】ダイヤルノブの回転中心軸からずれた位置に回転型接点素子を設けても、ダイヤルノブを所定位置に見栄え良く配設することができるようにする。【解決手段】ダイヤルノブ２と回転型接点素子７とが回転中心のずれた位置に設けられていても、ビス３と回転体とからなる伝達機構が、ダイヤルノブ２の回転中心を回転体４の回転中心と回転型接点素子７の回転軸７ａとが、まだａだけ軸ずれしていても、この軸ずれを回転体４と回転型接点素子７に対してスライドする吸収回転体５が解消することとなる。【選択図】図２
2007059169.tif 000002
【特許請求の範囲】
【請求項１】
ダイヤルノブからの回転力を回転型接点素子に伝達するためのダイヤル駆動伝達機構であって、前記ダイヤルノブと前記回転型接点素子との間には少なくとも１つの中間回転体を配し、前記ダイヤルノブと前記中間回転体との間には第１の方向に摺動可能に設けられた第１の摺動手段を有し、前記中間体と前記回転型接点素子との間には第２の方向に摺動可能に設けられた第２の摺動手段を有し、前記第１の方向と前記第２の方向とは略９０度をなすとともに、前記ダイヤルノブと前記中間回転体との間には弾性体を配し、前記弾性体は回動軸方向に押圧力を発生することを特徴としたダイヤル駆動伝達機構。
【請求項２】
前記第１の摺動手段及び第２の摺動手段はそれぞれ１組の突起部と凹部とからなることを特徴とした請求項１記載のダイヤル駆動伝達機構。
【発明の詳細な説明】
【技術分野】
【０００１】
本発明は、例えばカメラに使用され、回転型スイッチ等の回転型接点素子の回転軸をダイヤル操作により回転させるダイヤル駆動伝達機構に関する。
【背景技術】
【０００２】
従来のダイヤル駆動伝達機構は、図６に示すように、まず第１の歯車３と第２の歯車４ａとの減速比を調整することでダイヤルノブ２の回転トルクを調整することが可能となる。次に、吸収回転体５上に設けられた溝５ｂに第２の回転体４上に設けられた突起４ｂが入り込み、また吸収回転体５の溝５cに第３の回転体６上に設けられた突起６ｂが入り込むことにより、ダイヤルノブ２と噛合する第２の回転体４と回転型接点素子７とが回転中心のずれた位置に設けられていても、これら突起が溝の内部を移動出来るため、かかる位置ずれを吸収できる構成となっている（例えば、特許文献１参照）。
【特許文献１】特開２０００−６７６９６号公報
【発明の開示】
【発明が解決しようとする課題】
【０００３】
ここで、従来の技術による場合においては以下のような問題があった。
【０００４】
ダイヤルノブの回転トルクを調整するために、歯車の減速比を調整しているが、この方法では、回転トルクを段階的にしか調整できない上、歯車という複雑な部品が増加し、組み立て時の位相合わせ等、工数も増える、という問題点があった。
【０００５】
本発明は、このような従来技術の課題を解決すべくなされたものであり、ダイヤルノブの回転トルクをクリックバネとクリック板という簡単な構成で調整することが出来るダイヤル駆動伝達機構を提供することを目的とする。
【課題を解決するための手段】
【０００６】
本発明のダイヤル駆動伝達機構は、ダイヤルノブからの回転力を回転型接点素子に伝達するためのダイヤル駆動伝達機構であって、ダイヤルノブと回転型接点素子との間には少なくとも１つの中間回転体を配し、ダイヤルノブと中間回転体との間には第１の方向に摺動可能に設けられた１組の突起部と凹部を有する一方で、中間体と回転型接点素子との間には第２の方向に摺動可能に設けられた１組の突起部と凹部を有し、第１の方向と第２の方向とは略９０度をなす構成としている。
【０００７】
この構成によって、ダイヤルノブと回転型接点素子の回転軸とが同一軸上からずれていても、中間回転体がそのずれを吸収し、ダイヤルノブからの回転力を回転型接点素子の回転軸に伝達することが出来る。この中間回転体の存在により、回転型接点素子に対するダイヤルノブの設置位置について要求される精度が緩和される。
【０００８】
また、クリックバネとクリック板の形状を調整することにより、ダイヤルノブの回転操作荷重（トルク）を容易に設定、調整することが出来る。
【発明の効果】
【０００９】
以上のように本発明によれば、ダイヤルノブと回転型接点素子との間に回転中心の位置ずれがあったとしても、位置ずれ吸収手段を介してダイヤルノブの回転トルクを回転型接点素子の回転トルクとして伝達可能であり、その回転トルクはクリックバネとクリック板という簡単な構成で調整可能であるので、部材間の配置ばらつきを吸収でき、しかも回転トルクの調整が容易なダイヤル駆動伝達機構を提供することができる。
【発明を実施するための最良の形態】
【００１０】
以下に、本発明を実施するための最良の形態について具体的に説明する。
【００１１】
図１は本発明のダイヤル駆動伝達機構を示す断面図であり、図２はその構成を示す斜視図、図３は本発明のダイヤル駆動伝達機構におけるダイヤルノブ２の裏面の構成を示す図である。図４は本発明における吸収回転体の一例を示す図であり、図５は本発明におけるクリック板の一例を示す図である。図６は従来のダイヤル駆動伝達機構を示す図である。
図２において、本発明のダイヤル駆動伝達機構は、基板８上に設けた回転型接点素子７の回転軸７ａを、ダイヤルノブ２を操作する回転トルクにて回転させるものである。
【００１２】
まず、クリックバネ６はダイヤルノブ２の裏側に固定され、ダイヤルノブ２と一体的に回動する。本発明では、図３に示すように、クリックバネ６の中心にはクリックバネ切り欠き部６ｃを有する中心孔６ｂが開けられており、この中心孔６ｂがダイヤルノブ２裏面に設けられたボス２ｂに、クリックバネ切り欠き部６ｃがボス２ｂ上に設けられたボス上突起２ｃに噛合するように装着され、さらに、クリックバネの孔６ａにダイヤルノブの突起２ａがはまりこみ、ダイヤルノブの突起２ａを溶融することで溶着されている。
【００１３】
クリック板９は内面パネル１１上に回動しないように装着されている。本発明では、内面パネル１１上に設けられた内面パネルボス１１ａがクリック板９の中心部に開けられたクリック板中心孔９ａにはまりこむことで内面パネル１１に対するクリック板９の位置決めがなされ、さらに内面パネル１１上に設けられたクリック板ストッパー１１ｂがクリック板９上に設けられたクリック板切り欠き部９ｂと噛み合うことによりクリック板９が内面パネル１１に対し回動できないよう装着される。
【００１４】
回転体４はビス３によりダイヤルノブ２に固定され、ダイヤルノブ２と一体的に回動する。このとき、回転体４の中心には回転体切り欠き部４ａを有する貫通孔４ｃが開けられており、この貫通孔４ｃにボス２ｂが入り込むとともにボス上突起２ｃと回転体切り欠き部４ａが噛み合うことによりダイヤルノブ２と回転体４とは一体的に回動する。
【００１５】
また、貫通孔４ｃの外周には回転体ボス４ｅが設けられ、内面パネルボス１１ａの内周には内面パネル孔１１ｃが設けられ、内面パネル孔１１ｃに回転体ボス４ｅがはまりこむことで、内面パネル１１に対して回転体４が回動可能に位置決めされる。
【００１６】
なお、図１中の１は表面パネルを示し、１３は基板位置決め部を示す。
【００１７】
ここで、回転体４の裏側、即ち図２の下方側には凹溝４ｂが設けられている。
【００１８】
回転体４の下方には回転吸収体５が配置され、その上面には吸収体突起５ｄ及び５ｅが設けられ、吸収体突起５ｄ及び５ｅは凹溝４ｂに摺動可能にはまりこむ構成となっている。
吸収回転体５の下面には吸収体リブ５ｆが設けられており、回転型接点素子７上の回転軸７ａには回転軸凹溝７ｂが形成され、吸収体リブ５ｆは回転軸凹溝７ｂに摺動可能にはまりこむ構成となっている。
【００１９】
以上の構成において、吸収体突起５ｄ及び５ｅと凹溝４ｂとの摺動方向と、吸収体リブ５ｆと回転軸凹溝７ｂとの摺動方向とは直交する方向に形成されている。かかる構成とすることにより、回転体４と回転型素子７との回転中心に位置ずれがあった場合でも、これら部材の摺動により位置ずれが吸収され、ダイヤルノブに与えられる回転トルクが回転体４を介して、回転型素子７に伝達される。
【００２０】
なお、回転吸収体５の構成として、図４（ａ）のごとく上面に吸収体突起５ｄ及び５ｅを設け、下面に吸収体リブ５ｆを設け、吸収体リブ５ｆと回転軸凹溝７ｂを摺動させる構成としてもよいが、図４（ｂ）のごとく中心部に半月形状の中間体孔５ｂ及び５ｃを開け、その中間部分を吸収体リブ５ｆとすることで、厚みをより薄く構成することが出来る。
【００２１】
次に、ダイヤルノブ２の回転トルクの調整について説明する。
【００２２】
図２より、クリック板９には放射状に所定間隔に複数のクリック孔９ｃが設けられ、図３より、クリックバネ６にはクリック板９側に凸の形状でクリックバネ突起６ｂ及び６ｃが設けられ、これら突起とクリック板９間で所定の押圧力が発生するように構成されている。この押圧力によりダイヤルノブ２を回動させるための所定の回転トルクが発生し、クリックバネ突起６ｂ及び６ｃの位置がクリック孔９ｃに一致すれば、図１のようにこれらクリックバネ突起６ｂ及び６ｃはクリック孔９ｃにはまりこみ、クリック感が発生する構成となっている。かかる構成とすることにより、ダイヤル部材の回動動作の中で複数項目のうちの１項目を選択するような操作に好適なスイッチを構成することが出来る。
【００２３】
このとき、ダイヤルノブ２の回転トルク調整については、クリックバネ９の厚みによって可能であり、また、クリックバネ９の曲げ具合を調整することによっても可能であり、さらには、クリックバネ突起６ｂ及び６ｃの中心孔６ｃからの距離を調整することによっても可能であり、部品点数を増やすことなく、容易に調整可能となる。
【００２４】
また、本発明ではクリックバネ突起６ｂ及び６ｃが中心孔６ｃに関して中心角が１８０度となる位置に設けられていることから、クリックバネ６とクリック板９間での押圧力によってダイヤルノブ２が表面パネル１１に対して傾くこともない。
【００２５】
他の例としては例えば、クリックバネ突起を３個以上とし、その位置については中心孔６cに関して中心角が等しくなるような等分配置としても良い。
【００２６】
また、このとき、クリック孔９ｃの断面について、図５に示すごとく、クリックバネ突起６ｂ及び６ｃと接触する面側をラッピング加工等で滑らかにしておけばクリック板９上をクリックバネ突起６ｂ及び６ｃが摺動する際に、ダイヤルノブ２に過大な回転負荷がかかることもなく、耐久性が向上する。
【００２７】
なお、上記実施形態では凹溝４bを回転体４に設け、突起5dと5eを吸収回転体５側に設けているが、逆に、凹溝４bをを吸収回転体５に設け、突起5dと5e回転体４側に設けてもよい。回転吸収体５と回転型接点素子７についても同様で、回転吸収体５側に凹溝を設け、回転型接点素子７側にリブを設けても良い。
【産業上の利用可能性】
【００２８】
本発明は、ダイヤル駆動伝達機構において、ダイヤルノブと回転型接点素子との回転中心がずれた場合でもその位置ずれを吸収出来るダイヤル駆動伝達機構であり、ダイヤルノブの回転トルクを部品点数を増やすことなく容易に調整可能であり、さらに複数箇所においてクリック感が得られるものであり、複数の撮影モード等を有するデジタルカメラ等に適用可能である。
【図面の簡単な説明】
【００２９】
【図１】本発明のダイヤル駆動伝達機構を示す断面図
【図２】本発明のダイヤル駆動伝達機構の構成を示す斜視図
【図３】本発明のダイヤル駆動伝達機構におけるダイヤルノブ２の裏面の構成を示す図
【図４】本発明における吸収回転体の一例を示す図
【図５】本発明におけるクリック板の一例を示す図
【図６】従来のダイヤル駆動伝達機構を示す図
【符号の説明】
【００３０】
１    表面パネル
２    ダイヤルノブ
３    ビス
４    回転体
５    吸収回転体
６    クリックバネ
７    回転型接点素子
８    基板
９    クリック板
１１    内面パネル
【図１】
2007059169.tif 000003
【図２】
2007059169.tif 000004
【図３】
2007059169.tif 000005
【図４】
2007059169.tif 000006
【図５】
2007059169.tif 000007
【図６】
2007059169.tif 000008